(57)【要約】【課題】  休止時間を適当に設定したことで、発光効率の向上と点灯を確実とした放電灯点灯装置を提供すること。【解決手段】  トランスＴ１を介して希ガス放電灯に加える、互いに１８０度位相の異なる２つの駆動信号を発生する点灯装置であって、前記駆動信号の周波数を定める第１の制御回路１１と、この第１の制御回路１１が出力する、互いに位相の異なる２つの制御信号の同時にオフとなる休止時間を設定する第２の制御回路１２と、この第２の制御回路の出力を供給され、前記トランスに前記駆動信号を供給する第１、第２のスイッチング素子とを備えて成る。【選択図】図１
2006012456.tif 000002
【特許請求の範囲】
【請求項１】
トランスを介して希ガス放電灯に加える、互いに１８０度位相の異なる２つの駆動信号を発生する点灯装置であって、
前記駆動信号の周波数を定める第１の制御回路と、
この第１の制御回路が出力する、互いに位相の異なる２つの制御信号の同時にオフとなる休止時間を設定する第２の制御回路と、
この第２の制御回路の出力を供給され、前記トランスに前記駆動信号を供給する第１、第２のスイッチング素子と、
を備えて成ることを特徴とする放電灯点灯装置。
【請求項２】
前記第２の制御回路は、前記第１の制御回路から供給される制御信号を入力される時定数回路を有し、この時定数回路の出力を所定の直流電圧と比較することにより、前記休止時間を設定することを特徴とする請求項１記載の放電灯点灯装置。
【請求項３】
トランスを介して希ガス放電灯に加える、互いに１８０度位相の異なる２つの駆動信号を発生する点灯装置であって、
前記駆動信号の周波数を定める第１の制御回路と、
前記第１の制御回路から供給される制御信号を時定数回路を有し、この時定数回路の出力を所定の直流電圧と比較することにより、互いに位相の異なる２つの制御信号の同時にオフとなる休止時間を設定する第２の制御回路と、
この第２の制御回路の出力を供給され、前記トランスの一次側巻線に前記駆動信号を供給する第１、第２のスイッチング素子と、
前記トランスの二次側巻線に接続され前記希ガス放電灯に駆動電圧が印加されるとき、オンとなる第３のスイッチング素子とを備え、
前記第３のスイッチング素子がオンオフしたとき前記直流電圧を変えることにより、前記希ガス放電灯の開始前の前記休止時間を短くすることを特徴とする放電灯点灯装置。
【発明の詳細な説明】
【技術分野】
【０００１】
本発明は、複写機、スキャナなどの画像読取用光源を点灯させる放電灯点灯装置に関する。
【背景技術】
【０００２】
従来、複写機、スキャナ、ファクシミリなどの画像読取用光源として蛍光ランプが用いられている。これらの外部電極型の蛍光ランプでは、通常、１８０度位相の異なる矩形波を駆動信号として、加えて放電を行わせる。
【０００３】
この駆動信号については、効率や輝度変動の防止のための工夫がなされている（例えば特許文献１参照）。
【特許文献１】特開２００１−１６０４９７公報
【発明の開示】
【発明が解決しようとする課題】
【０００４】
ところで、上記駆動パルスの両方がオン状態になると、電源短絡などの不都合が生ずるので、通常、これらの駆動パルス両方がオフになる時間（休止時間）を設けて、回路を保護する。この休止時間は、発光効率などを考慮して予め所定値に設定されるが、駆動パルスの周波数などが変わると休止期間が変化してしまい、発光効率が適切でなくなるなどの問題点があった。
【０００５】
また、点灯開始時には、瞬時的に高い駆動パルスを加える必要があり、そのためには、上記休止期間が短いほうが好ましいが、このような場合に従来の点灯装置では休止期間を変えることができないという問題点もあった。
【０００６】
本発明は、休止時間を適当に設定したことで、発光効率の向上と点灯を確実とした放電灯点灯装置を提供することを目的とする。
【課題を解決するための手段】
【０００７】
本発明の請求項１によれば、トランスを介して希ガス放電灯に加える、互いに１８０度位相の異なる２つの駆動信号を発生する点灯装置であって、前記駆動信号の周波数を定める第１の制御回路と、この第１の制御回路が出力する、互いに位相の異なる２つの制御信号の同時にオフとなる休止時間を設定する第２の制御回路と、この第２の制御回路の出力を供給され、前記トランスに前記駆動信号を供給する第１、第２のスイッチング素子と、を備えて成ることを特徴とする。
【発明の効果】
【０００８】
本発明によれば、休止時間を適当に設定することが可能な放電灯点灯装置が得られる効果がある。
【発明を実施するための最良の形態】
【０００９】
本発明の放電灯点灯装置は、ガラス管内に１種類以上の希ガスが封入された、いわゆる希ガス放電灯を点灯する装置である。
【００１０】
以下、本発明の実施形態について図面を用いて説明する。図１に本発明一実施形態による放電灯点灯装置の全体の構成例を示す。この放電灯点灯装置１０は、直流電圧を供給されるコネクタＣＮ１と、このコネクタに並列に接続されているコンデンサＣ１と、上記コネクタＣＮ１に一次側巻線の中点を接続されるトランスＴ１と、このトランスＴ１の二次側巻線に抵抗Ｒ１を介して接続され外部電極型放電灯が接続されるコネクタＣＮ２と、このコネクタＣＮ２と抵抗Ｒ１の間の点に直列に接続されたダイオードＤ１、抵抗Ｒ２、コンデンサＣ２と、この抵抗Ｒ２とコンデンサＣ２の接続点に接続されたトランジスタＱ１と、上記トランスＴ１の一次側巻線の両端に各々ドレインを接続された電界効果トランジスタＦＥＴ１、ＦＥＴ２と、これらの電界効果トランジスタＦＥＴ１，ＦＥＴ２のベースに各々並列接続された抵抗Ｒ３，Ｒ４、Ｒ５，Ｒ６と、上記コネクタＣＮ１に接続され、ＦＥＴ１，ＦＥＴ２の駆動信号を生成すると、この第１の制御回路の出力からＦＥＴ１，ＦＥＴ２が同時にオフになる休止時間を決める第２の制御回路１２とから成る。
【００１１】
トランジスタＱ１のエミッタは、電界効果トランジスタＦＥＴ１，ＦＥＴ２のソース及び抵抗Ｒ４，Ｒ６の他端に接続されており、このトランジスタＱ１の出力は第２の制御回路１２に入力されている。
【００１２】
第１の制御回路１１は、鋸波状の電圧を発生し、この鋸波状電圧の立下りから、鋸波状電圧と入力の直流電圧を比較して同電位になったときにオフとなる互いに位相が１８０度異なる矩形波を発生して出力Ａ，Ｂとして出力する。
【００１３】
第２の制御回路１２の回路構成例を図２に示す。この制御回路１２は２つの増幅器ＡＰ１，ＡＰ２を有している、増幅器ＡＰ１の＋側入力端子には第１の制御回路１１の出力ＳＡが抵抗２１を介して入力され、この入力端子と接地間にはコンデンサＣ２１が接続される。一方、増幅器ＡＰ２の＋側入力端子には第１の制御回路１１の出力ＳＢが抵抗２２を介して入力され、この入力端子と接地間にはコンデンサＣ２２が接続されており、これらの抵抗とコンデンサが時定数回路を形成する。
【００１４】
増幅器ＡＰ１の−入力端子には抵抗２３が接続されこの抵抗２３の他端は電源電圧と抵抗Ｒ２４に接続されている。この抵抗２４は上記図１のトランジスタＱ１と接続され、トランジスタＱ１のオン，オフに応じて第２の制御回路が制御される。
【００１５】
増幅器ＡＰ１の−入力端子は抵抗２５と抵抗２６及び増幅器ＡＰ２の−入力端子に接続されている。抵抗Ｒ２５の他端は接地され、抵抗Ｒ２６の他端はトランジスタＱ２１に接続されている。増幅器ＡＰ１の出力ＳＣは抵抗Ｒ３を介して電界効果トランジスタＦＥＴ１にまた増幅器ＡＰ２の出力ＳＤは抵抗Ｒ５を介して電界効果トランジスタＦＥＴ２に制御信号として供給される。
【００１６】
上記図３及び図４により、放電灯点灯装置において、点灯信号の周波数が変わっても両方の電界効果トランジスタＦＥＴ１，ＦＥＴ２のオフになる休止時間がほぼ変わらないことを説明する。
【００１７】
直流電圧がＶ１とすると、第１の制御回路１１から、位相の異なる２つの矩形波の制御信号が第２の制御回路１２に入力される。このとき増幅器ＡＰ１に入力される信号の立ち上がりは、図３（ａ）に示すように抵抗Ｒ２１とコンデンサＣ２１により定まる時定数で立ち上がる。一方、増幅器ＡＰ２に入力される信号の立ち上がりは、図３（ｂ）に示すように抵抗Ｒ２２とコンデンサＣ２２により定まる時定数で立ち上がる。この信号が直流電圧Ｖ１と比較される。
【００１８】
したがって、第２の制御回路１２から抵抗Ｒ３を介して電界効果トランジスタＦＥＴ１のベースに加わる制御信号は、図３（ｃ）に示すようになる。一方、第２の制御回路１２から抵抗Ｒ５を介して電界効果トランジスタＦＥＴ１のベースに加わる制御信号は、図３（ｄ）に示すようになる。
【００１９】
ところで、点灯信号の周波数が図４（ａ）（ｂ）に示すように、高くなったとする。この場合にも、第２の制御回路に入力される信号の立ち上がりは、増幅器ＡＰ１，ＡＰ２の＋入力端子に接続されている時定数回路により、図４（ｃ）（ｄ）に示すような波形となり、この場合の休止時間ｔ２１，ｔ２２は上記図４の場合と変わらない。
【００２０】
即ち、第２の制御回路１２において、抵抗Ｒ２１，Ｒ２２とコンデンサＣ２１，Ｃ２２で各々構成される時定数回路により休止期間が決定されることになる。
【００２１】
ところで、放電管の点灯前には休止期間を短くした方が、点灯が容易である。本発明の上記実施形態によれば、点灯開始時に休止期間を短くすることができることを図５の波形図及び図１、図２を用いて説明する。
【００２２】
図１で、コネクタＣＮ２に接続された図示していない放電灯が消灯状態にあるときには、ダイオードＤ１，抵抗Ｒ２には電流が流れず、トランジスタＱ１はオフ状態にある（図５（ａ））。このとき、第１の制御回路１１の出力ＳＡ，ＳＢは、図５（ｂ）（ｃ）に示すようになるとすると、第２の制御回路１２の出力ＳＣ，ＳＤは、図５（ｄ）（ｅ）に示すようになる。このとき第２の制御回路１２の増幅器ＡＰ１，ＡＰ２の＋入力端子前に設けられている時定数回路に応じて過渡特性により各矩形波が変形され、この波形はＶＩに対応した直流電圧と比較されるので、電界効果トランジスタＦＥＴ１，ＦＥＴ２の出力信号には、図５（ｆ）（ｇ）の前半に示すような休止時間が生じている。この休止時間は、図示するように時間ｔ５１である。
【００２３】
そして、時刻Ｔ５０で放電灯がオン状態になると、ダイオードＤ１及び抵抗Ｒ２に電流が流れ、トランジスタＱ１がオン状態となり、第２の制御回路１２に入力される電圧は図５（ａ）に示されるように低くなる。そして第２の制御回路１２の増幅器ＡＰ１，ＡＰ２で比較される直流電圧が、図５（ｄ）（ｅ）の波形５１で示されるように少し上がる。
【００２４】
このため、上記波形５１と入力信号と比較されて生成される電界効果トランジスタＦＥＴ１、ＦＥＴ２の出力の駆動信号は、図５（ｆ）（ｇ）に示すように休止時間は時間ｔ５２となる。この時間ｔ５２は上記時間ｔ５１よりも長くなっており、換言すれば放電灯点灯開始前は点灯開始後よりも休止時間が短くなっていることがわかる。
【００２５】
このように、点灯開始前には、休止時間を短くし放電灯に印加する出力電圧を高くし、点灯を確認して休止期間を長くすることにより、放電灯を容易に点灯させると共に点灯時の放射ノイズを低減することが可能である。
【００２６】
上記実施形態では、駆動信号を発生する素子として電界効果トランジスタＦＥＴ１，ＦＥＴ２を用いた場合について述べたが、本発明では一般的なスイッチング素子を用いることができる。上記実施形態では、トランスの二次側に接続された増幅器のオンオフにより第２の制御回路の比較直流電圧を変える場合について説明したが、これについても一般的なスイッチング素子を用いることができる。
【図面の簡単な説明】
【００２７】
【図１】本発明一実施形態の構成例を示す図。
【図２】図１の第２の制御回路の回路構成例を示す図。
【図３】本発明一実施形態において所定周波数における休止時間を説明するための図。
【図４】本発明一実施形態において他の周波数における休止時間を説明するための図。
【図５】本発明一実施形態において放電灯開始時の休止時間を説明するための図。
【符号の説明】
【００２８】
ＣＮ１，ＣＮ２・・・コネクタ、
Ｃ１，Ｃ２，Ｃ２１，Ｃ２２・・・コンデンサ、
Ｔ１・・・トランス、
Ｄ１・・・ダイオード、
Ｑ１，Ｑ２１・・・トランジスタ、
ＦＥＴ１，ＦＥＴ２・・・電界効果トランジスタ、
Ｒ１〜Ｒ６，Ｒ２１〜Ｒ２５・・・抵抗、
１１・・・第１の制御回路、
１２・・・第２の制御回路
ＡＰ１，ＡＰ２・・・増幅器。
【図１】
2006012456.tif 000003
【図２】
2006012456.tif 000004
【図３】
2006012456.tif 000005
【図４】
2006012456.tif 000006
【図５】
2006012456.tif 000007